(57)【要約】【課題】香りを放散することにより、消費者の購買意欲を促進する携帯型電子機器及びその電池モジュールを提供する。【解決手段】本発明による携帯型電子機器は、収容空間２１１を有するハウジング２１と、前記収容空間に配置された香りユニット２２と、前記香りユニットに隣設され、前記香りユニットに熱量を供給し香りを放散させる発熱源２３とを備える。【選択図】  図２
2006191638.tif 000002
【特許請求の範囲】
【請求項１】
収容空間を有するハウジングと、
前記収容空間に配置された香りユニットと、
前記香りユニットに隣設され、前記香りユニットに熱量を供給し香りを放散させる発熱源と、を備えることを特徴とする携帯型電子機器。
【請求項２】
前記ハウジングには、少なくとも一つの貫通孔が設けられ、前記貫通孔により前記収容空間が外部と導通することを特徴とする請求項１に記載の携帯型電子機器。
【請求項３】
前記香りユニットは、香り媒介体と香り物質とを含み、前記香り媒介体が、前記香り物質を付着する複数の小孔を有することを特徴とする請求項１に記載の携帯型電子機器。
【請求項４】
前記香り媒介体は、吸着性板材または棉板であり、前記香り物質は、香水、エッセンス、香膏、精油のうちの何れか一つであることを特徴とする請求項３に記載の携帯型電子機器。
【請求項５】
前記発熱源は、正極と負極とを有する熱電対金属であることを特徴とする請求項１に記載の携帯型電子機器。
【請求項６】
前記発熱源の前記正極と前記負極と電気的に接続され、電力を供給すると同時に、前記発熱源に前記熱量を供給させる電池本体を、さらに備えることを特徴とする請求項５に記載の携帯型電子機器。
【請求項７】
第１収容空間を有する第１カバー体と、
前記第１収容空間に配置された香りユニットと、
前記香りユニットに隣設され、前記香りユニットに熱量を供給し香りを放散させる発熱源と、
前記第１カバー体と接合し、第２収容空間を形成する第２カバー体と、
前記第２収容空間に配置された電池本体と、
を備えることを特徴とする電池モジュール。
【請求項８】
前記第２収容空間の側に対する前記第１カバー体には、少なくとも一つの貫通孔が設けられることを特徴とする請求項７に記載の電池モジュール。
【請求項９】
前記香りユニットは、香り媒介体と香り物質とを含み、前記香り媒介体が、前記香り物質を付着する複数の小孔を有することを特徴とする請求項７に記載の電池モジュール。
【請求項１０】
前記香り媒介体は、吸着性板材または棉板であり、前記香り物質は、香水、エッセンス、香膏、精油のうちの何れか一つであることを特徴とする請求項１０に記載の携帯型電子機器。
【請求項１１】
前記香りユニットと連結するハンドルをさらに備えることを特徴とする請求項７に記載の電池モジュール。
【請求項１２】
前記発熱源は、前記電池本体と電気的に接続された正極と負極とを有する熱電対金属であることを特徴とする請求項７に記載の電池モジュール。
【発明の詳細な説明】
【技術分野】
【０００１】
本発明は、携帯型電子機器及びその電池モジュールに関し、特に香りを放散することにより消費者の購買意欲を促進する携帯型電子機器及びその電池モジュールに関する。
【背景技術】
【０００２】
科学の発展に伴い、様々な携帯型電子機器が開発されている。例えば、携帯電話、ノートブック型コンピュータ、MP３プレーヤー（MP３ Player）、やパーソナルデジタルアシスタントシステム（Personal Digital Assistance, PDA）などの携帯型電子機器の目覚しい発展により、生活の利便性及び仕事の効率を大いに向上させる。
【０００３】
携帯型電子機器は、外部電源と接続されていなくても、実装した電池モジュールにより必要な電力を供給し、ユーザがいつでもどこでも自由に使用できるため、多くのユーザに愛用されるようなった。
【０００４】
より多くの消費者を引くために、携帯型電子機器の業者は、様々な工夫をして、新製品を開発している。具体的には、携帯型電子機器の外観を改良する外に、光電や音声などの効果を加え、消費者の購買意欲を促進する。例えば、図１に示す従来の携帯型電子機器１におけるハウジング１１の形状や図形に工夫し、さらに電池１２のカバー１３にもパターン１４を設けることにより、消費者の注目を図る。
【発明の開示】
【発明が解決しようとする課題】
【０００５】
しかし、上述したように、従来の携帯型電子機器での改良は、消費者の視覚に訴えるのが多かったが、嗅覚に訴え、の購買意欲を促進する携帯型電子機器１は、まだ見られていない。ここで、携帯型電子機器１に香りを放散し、ユーザ及び周りの人間に嗅がせられ、直ちにユーザ個人の特色を主張するため、ユーザが携帯型電子機器に対する個性主張の要求を満たすことができる。
【０００６】
本発明は、上記問題を鑑みてなされたものであり、香りを放散することにより、消費者の購買意欲を促進する携帯型電子機器及びその電池モジュールを提供することを目的とする。
【課題を解決するための手段】
【０００７】
上記目的を達成するために、本発明による携帯型電子機器は、収容空間を有するハウジングと、前記収容空間に配置された香りユニットと、前記香りユニットに隣設され、前記香りユニットに熱量を供給し香りを放散させる発熱源とを備える。
また、本発明による電池モジュールは、第１収容空間を有する第１カバー体と、前記第１収容空間に配置された香りユニットと、前記香りユニットに隣設され、前記香りユニットに熱量を供給し香りを放散させる発熱源と、前記第１カバー体と接合し、第２収容空間を形成する第２カバー体と、前記第２収容空間に配置された電池本体とを備える。
【発明の効果】
【０００８】
本発明の携帯型電子機器及びその電池モジュールは、発熱源を香りユニットに隣設することにより、携帯型電子機器をオンにした後、電流が発熱源に流れると、あるいは、電池本体の電力を間接的に電池モジュールの発熱源に流れると、発熱源の温度が上昇するため、香りユニット内に置かれた香り物質が大量にユーザの周りの空気に放散する。従来の技術と比べ、本発明に係わる携帯型電子機器及びその電池モジュールは、ユーザの周りに気持ちのよい香りを放散し雰囲気をよくするだけではなく、ユーザの個性も主張できるため、消費者の購買意欲を促進することができる。
【発明を実施するための最良の形態】
【０００９】
以下、図面を参照しながら、本発明の好適な実施例における携帯型電子機器及びその電池モジュールについて説明する。
【００１０】
（実施例１）
図２は、本発明の実施例１における携帯型電子機器２を示す図である。携帯型電子機器２は、ハウジング２１と、香りユニット２２と、発熱源２３とを備える。携帯型電子機器２は、例えば、携帯電話、ノートブック型コンピュータ、パーソナルデジタルアシスタントシステム、やMP３プレーヤーなどである。本実施例において、携帯型電子機器２は、携帯電話を例として挙げられる。
【００１１】
ハウジング２１は、収容空間２１１を有する。本実施例において、ハウジング２１は、携帯電話の電池の上カバーを例とするが、もちろん、ハウジング２１は、携帯型電子機器２の他の部分のハウジングであってもよい。また、ハウジング２１には、少なくとも一つの貫通孔２１２が設けられ、この貫通孔２１２により収容空間２１１が外部と導通するため、香りユニット２２の香りを外部に放散することができる。
【００１２】
香りユニット２２には、収容空間２１１が設けられる。本実施例において、香りユニット２２は、複数の小孔を有する香り媒介体２２１と香り物質２２２とを含む。香り媒介体２２１は、例えば、香り物質２２２を吸着する吸着性板材である。本実施例において、棉板を例として挙げられる。なお、香り物質２２２は、例えば香水、エッセンス、香膏、精油など香りがする物質である。香り物質２２２が香りユニット２２から外部に揮発するため、香り物質２２２を使い切ると、香りユニット２２を取り出し、ユーザの好みによって様々な香り物質２２２を添加することができる。
【００１３】
本実施例において、携帯型電子機器２は、さらに、香りユニット２２と連結するハンドル２４とを備える。本実施例において、ハンドル２４は、ハウジング２１と共に、収容空間２１１を閉塞することができる。ユーザが香り物質２２２または香り媒介体２２１を交換しようとする場合、ハンドル２４を引き出すと、香り媒介体２２１も引き出されるため、交換作業を行うことができる。
【００１４】
図３は、本発明の実施例１における香りユニット２２と発熱源２３とハウジング２１との組立状態を示す図である。香りユニット２２に隣設された発熱源２３は、香りユニット２２に熱量を供給し、香りを放散させる。
【００１５】
図２を参照すると、本実施例において、発熱源２３は、正極２３１と負極２３２とを有する熱電対金属である。携帯型電子機器２は、さらに、正極２３１と負極２３２と電気的に接続された回路基板２５とを備える。また、携帯型電子機器２は、さらに、発熱源２３と電気的に接続された電池本体２６とを備える。電池本体２６は、電力を供給すると同時に、発熱源２３に熱量を供給させる。
【００１６】
携帯電話をオンにした後、電池本体２６が供給した電力が回路基板２５から発熱源２３に流れ、発熱源２３の熱電対効果により、発熱源２３の温度を上昇させる。従って、発熱源２３に隣接した香りユニット２２が、温度が高まるため、香りユニット２２内の香り物質２２２を大量に放散させ、ハウジング２１上の貫通孔２１２を介して外部に放散する。
【００１７】
(実施例２)
図４は、本発明の実施例２における電池モジュール３０を示す図である。電池モジュール３０は、第１カバー体３１と、香りユニット３２と、発熱源３３と、第２カバー体３４と、電池本体（Battery Cell）３５と、を備える。本実施例において、電池モジュール３０は、例えば携帯電話、ノートブック型コンピュータ、パーソナルデジタルアシスタントシステム、やMP３プレーヤーなどの携帯型電子機器に用いられる。ここで、電池モジュール３０は、携帯電話に用いられた電池を例として挙げられる。
【００１８】
第１カバー体３１は、香りユニット３２と発熱源３３とを収容する第１収容空間３１１を有する。本実施例において、第１カバー体３１は、少なくとも一つの貫通孔３１２が設けられ、この貫通孔３１２により、香りユニット３２の香りを外部に放散することができる。
【００１９】
図４に示すように、香りユニット３２は第１収容空間３１１に設けられる。本実施例において、香りユニット３２は、複数の小孔を有する香り媒介体３２１と香り物質３２２とを含む。香り媒介体３２１は、例えば、香り物質３２２を吸着する吸着性板材である。本実施例において、棉板を例として挙げられる。なお、香り物質３２２は、例えば香水、エッセンス、香膏、精油など香りがする物質である。香り媒介体３２１上に置かれた香り物質３２２が外部に揮発するため、香り物質３２２を使い切ると、ユーザが香り媒介体３２１を取り出し、個人の好みによって様々な香り物質３２２を添加することができる。
【００２０】
本実施例において、電池モジュール３０は、さらに、香りユニット３２と連結するハンドル３６とを備える。本実施例において、ハンドル３６は、第１カバー体３１と共に、第１収容空間３１１を閉塞することができる。ユーザが香り物質３２２または香り媒介体３２１を交換しようとする場合、ハンドル３６を引き出すと、香り媒介体３２１も引き出されるため、交換作業を行うことができる。
【００２１】
図５は、本発明の実施例２における香りユニット３２と発熱源３３と第１カバー体３１との組立状態を示す図である。香りユニット３２に隣設された発熱源３３は、香りユニット２２に熱量を供給し、香りを放散させる。
【００２２】
図４を参照すると、本実施例において、発熱源３３は、電池本体３５と電気的に接続された正極３３１と負極３３２とを有する熱電対金属である。電池モジュール３０は、正極３３１と負極３３２を介して、電池本体３５が間接的に供給した電力を利用し、発熱源３３の温度を上昇させる。また、本実施例において、電池モジュール３０は、さらに、熱電対金属の正極３３１と負極３３２と直接的に電気的に接続された回路基板３７とを備える。このようにして、電池本体３５が供給した電力は、回路基板３７を介して発熱源３３に導入され、発熱源３３の温度を上昇させる。
【００２３】
第２カバー体３４は、第１カバー体３１に対向に配置され、第２収容空間３４１を形成する。本実施例において、第２収容空間３４１に設けられた電池本体３５は、電力を供給すると同時に、発熱源３３に熱量を供給させる。
【００２４】
携帯電話の電池モジュールを例とすると、携帯電話をオンにした後、電池本体３５が供給した電力が電池モジュール３０の回路基板３７を介して、正極３３１と負極３３２から発熱源３３に流れ、発熱源３３の熱結合効果により、発熱源３３の温度を上昇させる。従って、発熱源３３に隣接した香りユニット３２が、温度が高まるため、香り媒介体３２１内に付着した香り物質３２２を大量に放散させ、第２収容空間３４１の側に対する第１カバー体３の貫通孔３１２を介して外部に放散する。
【００２５】
以上、本発明の実施の形態を図面を参照して詳述してきたが、具体的な構成は、これらの実施の形態に限られるものではなく、本発明の要旨を逸脱しない範囲の設計変更等があっても、本発明に含まれる。
【図面の簡単な説明】
【００２６】
【図１】従来の携帯型電子機器を示す図である。
【図２】本発明の実施例１における携帯型電子機器を示す図である。
【図３】本発明の実施例１における香りユニットと発熱源とハウジングとの組立状態を示す図である。
【図４】本発明の実施例２における電池モジュールを示す図である。
【図５】本発明の実施例２における香りユニットと発熱源と第１カバー体との組立状態を示す図である。
【符号の説明】
【００２７】
２     携帯型電子機器
２１     ハウジング
２１１     収容空間
２１２     貫通孔
２２     香りユニット
２２１     香り媒介体
２２２     香り物質
２３     発熱源
２３１     正極
２３２     負極
２４     ハンドル
２５     回路基板
２６     電池本体
３０     電池モジュール
３１     第１カバー体
３１１     第１収容空間
３１２     貫通孔
３２     香りユニット
３２１     香り媒介体
３２２     香り物質
３３     発熱源
３３１     正極
３３２     負極
３４     第２カバー体
３４１     第２収容空間
３５     電池本体
３６     ハンドル
３７     回路基板
【図１】
2006191638.tif 000003
【図２】
2006191638.tif 000004
【図３】
2006191638.tif 000005
【図４】
2006191638.tif 000006
【図５】
2006191638.tif 000007